(57)【要約】  グランド面５上に、該グランド面５と間隔を介して板状の放射素子２を配置する。放射素子２は、予め定めた低域波長λ１と高域波長λ２とで共振するものとする。前記放射素子２の周縁部には、給電回路に接続される給電部３と、一対の短絡部７，８とを設ける。給電部３は放射素子２の一端側に設ける。対の短絡部７，８は、前記給電部３から放射素子２の周縁方向に沿って、互いに反対側であって、それぞれ給電部３から短絡部７，８に流れる高域共振の電圧が零となる部位の領域に設ける。短絡部７，８はグランド面５側に伸設して該グランド面５に接続する。放射素子２の給電部３とは反対側となる他端側は開放端６とする。放射素子２の一端側から開放端６までの電気長は、放射素子２の高域共振波長λ２の１／２に形成する。
2008072411.tif 000002
【特許請求の範囲】
【請求項１】
グランド面上に該グランド面と間隔を介して配置されて予め定めた低域波長λ１と高域波長λ２とで共振する板状の放射素子を有し、
該放射素子の周縁部には給電回路に接続される給電部と、一対の短絡部とが設けられ、
前記給電部は前記放射素子の一端側に設けられ、
前記対の短絡部は前記給電部から前記放射素子の周縁方向に沿って互いに反対側であって、それぞれ前記給電部から前記短絡部に流れる高域共振の電圧が零となる部位の領域に設けられ、
前記短絡部は前記グランド面側に伸設されて該グランド面に接続されており、
前記放射素子の前記給電部とは反対側となる他端側は開放端と成しており、
前記放射素子の一端側から前記開放端までの電気長は該放射素子の高域共振波長λ２の１／２に形成されていることを特徴とするアンテナ。
【請求項２】
放射素子の開放端側にはグランド面側に伸長された伸長部が形成されて該伸長部の先端側が開放端と成し、
該開放端とグランド面との間に高域共振波長λ２の電気長に寄与する容量が形成されていることを特徴とする請求項１記載のアンテナ。
【請求項３】
給電部と短絡部と伸長部の少なくとも一つはその幅が放射素子の周縁部側からグランド面側に向かうにつれて連続的又は段階的に変化するように形成されていることを特徴とする請求項１または請求項２記載のアンテナ。
【請求項４】
給電部と短絡部と伸長部の少なくとも一つに切り欠き部が形成されていることを特徴とする請求項１または請求項２記載のアンテナ。
【請求項５】
給電部が形成されている放射素子の一端側の前記給電部に対して両側となる位置の周縁部と、該周縁部と対向するグランド面の少なくとも一方には、この対向する相手側に向けて伸長する折り曲げ部が設けられており、
該折り曲げ部は前記給電部と間隔を介して配置され、該給電部に接続される給電回路のインピーダンスとアンテナのインピーダンスとを整合するマッチング素子を形成していることを特徴とする請求項１または請求項２記載のアンテナ。
【請求項６】
給電部の両側となる放射素子には、前記給電部に接続される給電回路のインピーダンスとアンテナのインピーダンスとを整合するマッチング用スリットが前記放射素子の一端側から他端側に向けて伸長形成されていることを特徴とする請求項１または請求項２記載のアンテナ。
【請求項７】
グランド面と放射素子との間には誘電体基体が設けられていることを特徴とする請求項１または請求項２記載のアンテナ。
【請求項８】
請求項１または請求項２記載のアンテナを備えていることを特徴とする通信装置。
【請求項９】
請求項７記載のアンテナを備えていることを特徴とする通信装置。
【発明の詳細な説明】
【技術分野】
【０００１】
本発明は、例えばパソコン等に挿入装着される基板等のグランド面上に取り付けられ、情報通信等の無線通信を行うためのアンテナに関するものである。また、本発明は、そのアンテナを備えた通信装置に関するものである。
【背景技術】
【０００２】
例えば無線通信を行うためのアンテナとして、モノポールアンテナ（例えば、特許文献１、参照。）や、パッチアンテナ、逆Ｆアンテナ等、様々なアンテナが提案されている。【０００３】
図１２に示すアンテナは、逆Ｆアンテナ（特許文献２、参照。）である。この逆Ｆアンテナは、三角形状の板状のアンテナ素子４２を、アース板４１上に間隔を介して配置して形成されている。アンテナ素子４２の各辺の中央部には、それぞれショート板４３が設けられている。給電点４４がアンテナ素子４２の重心位置に配置され、この給電点４４からアンテナ素子４２に給電される。ショート板４３は、アンテナ素子４２に対し直角に曲げられている。そして、ショート板４３の先端がアース板４１に電気的に接続されることによって、アンテナ素子４２の各辺の中央部をアース板４１に短絡している。【０００４】
また、図１３に示すアンテナも、逆Ｆアンテナ（特許文献３、参照。）である。この逆Ｆアンテナは、アース板４１等の接地導体上に、放射導体板４６を配置して形成されている。放射導体板４６は、接地導体面に対向してほぼ平行に配置されている。給電導体板４７が、前記放射導体板４６の外縁から略直角に延出され、給電回路に接続されている。短絡導体板４８，４９が、前記放射導体板４６の外縁の複数箇所から略直角に、延出されている。放射導体板４６の電気長は、共振波長の約４分の１に設定されている。【０００５】
短絡導体板４８は、放射導体板４６の辺のうち、給電導体板４７が設けられている辺に隣り合う辺から延出されている。短絡導体板４９は、放射導体板４６の辺のうち、給電導体板４７が設けられている辺と同じ辺から延出されている。短絡導体板４８と短絡導体板４９は、給電導体板４７から互いに異なる距離離れた部位に設けられている。【０００６】
【特許文献１】特許公報第３４５７６７２号
【特許文献２】特許公報第２７４５４８９号
【特許文献３】特開２００４―３１２１６６号公報
【発明の開示】
【発明が解決しようとする課題】
【０００７】
しかしながら、上記のような逆Ｆアンテナは、指向性がアース板４１等に対して水平面でヌル点を有するため、アンテナの向きによって通信できない場合があるといった問題があった。また、上記のような逆Ｆアンテナは、広帯域化を行う場合、アンテナ高さを大きくとる必要があった。【０００８】
また、上記図１２、図１３に示した逆Ｆアンテナは、いずれも、ショート板４３や短絡導体板４８，４９等の短絡部を非対称な位置に形成する。そのため、上記図１２、図１３に示した逆Ｆアンテナは、アンテナの実装向きに制限が生じる。さらに、上記図１２、図１３に示した逆Ｆアンテナは、アンテナ効率や周波数帯域を増やそうとすると、基板の共振を活用するために、基板端付近に上記短絡部を設ける必要がある。そのため、アンテナ設置位置に制約が生じるといった問題もあった。【０００９】
また、パッチアンテナ単体においては、低背で広帯域特性を持たせることは難しい。そのため、上記特許文献１に示されているようなモノポールアンテナにおいては、使用する誘電体の誘電率が大きいと、通信回路とのマッチングが困難であるといった問題がある。
【課題を解決するための手段】
【００１０】
この発明は、次に示す構成をもって前記課題を解決するための手段としている。すなわち、この発明のアンテナは、
グランド面上に該グランド面と間隔を介して配置されて予め定めた低域波長λ１と高域波長λ２とで共振する板状の放射素子を有し、
該放射素子の周縁部には給電回路に接続される給電部と、一対の短絡部とが設けられ、
前記給電部は前記放射素子の一端側に設けられ、
前記対の短絡部は前記給電部から前記放射素子の周縁方向に沿って互いに反対側であって、それぞれ給電部から短絡部に流れる高域共振の電圧が零となる部位の領域に設けられ、
前記短絡部は前記グランド面側に伸設されて該グランド面に接続されており、
前記放射素子の前記給電部とは反対側となる他端側は開放端と成しており、
前記放射素子の一端側から前記開放端までの電気長は該放射素子の高域共振波長λ２の１／２に形成されていることを特徴としている。【００１１】
また、この発明の通信装置は、本発明において特有な構成を持つアンテナを備えていることを特徴としている。
【発明の効果】
【００１２】
この発明のアンテナは、グランド面上に、該グランド面と間隔を介して配置された板状の放射素子と、この放射素子の周縁部に設けられる給電部と一対の短絡部とを設けて形成されている。放射素子は、予め定めた低域波長λ１と高域波長λ２とで共振するものとする。そして、前記対の短絡部は、放射素子の一端側の周縁部に設けられる給電部から前記放射素子の周縁方向に沿って互いに反対側であって、それぞれ給電部から短絡部に流れる高域共振の電圧が零となる部位の領域に設けられている。そのため、この発明のアンテナは、低域共振波長λ１の電流により、モノポールアンテナモードもしくはループアンテナモードの共振を発生させることができる。また、この発明のアンテナは、前記放射素子の前記給電部とは反対側となる他端側は開放端と成し、前記放射素子の一端側から前記開放端までの電気長は該放射素子の高域共振波長λ２の１／２に形成されている。そのため、この発明のアンテナは、波長λ２の電流により、パッチアンテナモードの共振を発生させることができる。【００１３】
つまり、この発明のアンテナは、モノポールアンテナモードもしくはループアンテナモードの共振と、パッチアンテナモードの共振との２つの共振を発生させることができる。それにより、この発明のアンテナは、低背で広帯域化が可能となる。また、前記２つの共振の内、特に低域側は逆Ｆアンテナモードでないため、水平方向にヌル点を有することが無い。したがって、この発明のアンテナは、水平面方向の全方向で電波の受信や送信を可能にできる。【００１４】
また、この発明のアンテナにおいて、放射素子の開放端側にはグランド面側に伸長された伸長部が形成されて該伸長部の先端側が開放端と成し、該開放端とグランド面との間に高域共振波長λ２の電気長に寄与する容量が形成されているアンテナがある。この構成を有するアンテナは、前記容量の形成ができ、かつ、アンテナ長を長くできるので、高域共振波長を低周波数側にシフトでき、アンテナの小型化が可能となる。【００１５】
さらに、給電部と短絡部と伸長部の少なくとも一つをその幅が連続的又は段階的に変化するように形成したアンテナにおいては、以下の効果を奏することができる。つまり、給電部の幅を放射素子側に向かうにつれて広幅となるように変化させる構成は、広帯域にマッチングをとることができる。また、短絡部の幅を変化させる構成は、低域共振の周波数を下げることができる。さらに、伸長部の幅を変化させる構成は、広域化を実現できる。【００１６】
さらに、給電部と短絡部と伸長部の少なくとも一つに切り欠き部を形成した構成においては、以下の効果を奏することができる。つまり、このアンテナは、例えば電流が集中して流れる部分にスリット等の切り欠き部を形成することにより、Ｌ性を増加させることができ、共振周波数を効率的に下げることができる。【００１７】
また、この発明のアンテナにおいて、マッチング素子を形成したり、マッチング用スリットを形成したりすることにより、以下の効果を奏することができる。つまり、給電部に接続される給電回路のインピーダンスとアンテナのインピーダンスとを整合するための外付けの部品（Ｌ性やＣ性を調整する部品）を省くことができ、省スペース化が可能となる。【００１８】
さらに、この発明のアンテナにおいて、グランド面と放射素子との間に、誘電体基体を設けることにより、アンテナの小型化を図ることができる。【００１９】
さらに、この発明のアンテナを備えている通信装置は、アンテナが前記各効果を奏することができるので、広帯域化が可能で、特に水平面方向（グランド面方向）の全方向で電波の受信や送信が可能な通信装置を形成できる。
【図面の簡単な説明】
【００２０】
【図１】第１実施例のアンテナを説明するための図である。
【図２】回路基板上に本発明のアンテナを設ける場合の配設位置の例を説明する図である。
【図３】第１実施例のアンテナをグランド面側から見た斜視図により示す説明図である。
【図４ａ】第１実施例のアンテナの動作を説明するための図である。
【図４ｂ】第１実施例のアンテナの動作を説明するための図である。
【図５】第１実施例のアンテナの試作例におけるＶＳＷＲ特性を示すグラフである。
【図６ａ】上記試作例のアンテナの電界面のｚｙ平面における指向性を求めた例を示すグラフである。
【図６ｂ】上記試作例のアンテナの電界面のｚｙ平面における指向性の角度を説明するための図である。
【図７ａ】上記試作例のアンテナの低域共振の電界面を三次元で求めた例を示す図である。
【図７ｂ】上記試作例のアンテナの高域共振の電界面を三次元で求めた例を示す図である。
【図８ａ】第２実施例のアンテナの斜視構成を説明するための図である。
【図８ｂ】短絡部の他の形成態様例を説明するための図である。
【図８ｃ】短絡部の他の形成態様例を説明するための図である。
【図８ｄ】短絡部の他の形成態様例を説明するための図である。
【図８ｅ】給電部の他の形成態様例を説明するための図である。
【図９】第３実施例のアンテナを説明するための図である。
【図１０】第４実施例のアンテナを説明するための図である。
【図１１】他の実施例のアンテナにおけるマッチングスリット形成態様例を説明するための図である。
【図１２】特許文献２に記載のアンテナを説明するための図である。
【図１３】特許文献３に記載のアンテナの一つを説明するための図である。
【符号の説明】
【００２１】
１  アンテナ
２  放射素子
３  給電部
４  回路基板
５  グランド面
６  開放端
７，８  短絡部
９  伸長部
１０  誘電体基体
１３，１４，１５  スリット
１８，１９  折り曲げ部
２０  マッチング用スリット
【発明を実施するための最良の形態】
【００２２】
以下、本発明の実施の形態を、図面を参照して説明する。【００２３】
図１には、第１実施例のアンテナ１が、回路基板４と共に模式的な斜視図により示されている。このアンテナ１は、例えば図２の平面図に示されるような、回路基板４を備えたデータ通信装置等に適用されるものである。該回路基板４の表面にはグランド面５が形成されている。なお、図１、図２は、水平方向（グランド面５の形成方向）を、互いに直交するｘ軸とｙ軸とし、ｘ軸とｙ軸に直交する方向をｚ軸として示している。【００２４】
アンテナ１は、グランド面５上に、該グランド面５と間隔を介して配置された板状の放射素子２を有している。該放射素子２の周縁部には、給電回路（図示せず）に接続される給電部３と、一対の短絡部７，８とが設けられている。本実施例において、放射素子２は正方形状であり、また、短絡部７，８は、放射素子２のＹ軸方向の中央部において互いに対向する位置に形成されている。第１実施例は、このように、放射素子２を正方形状として、短絡部７，８を互いに対向する位置に形成する構成により、アンテナ１の実装向きを自在に設定できる。【００２５】
放射素子２は、予め定めた低域波長λ１と高域波長λ２とで共振するものである。この放射素子２の一端側に給電部３が設けられており、給電部３はグランド面５側に伸設されている。前記対の短絡部７，８は、給電部３から放射素子２の周縁方向に沿って互いに反対側であって、それぞれ前記給電部３から短絡部７，８に流れる高域共振の電圧が零となる部位の領域に設けられている。短絡部７，８は前記グランド面５側に伸設されて該グランド面５に接続されている。【００２６】
前記放射素子２は、前記給電部３の形成位置と反対側となる他端側が、開放端６と成している。該開放端６側にはグランド面５側に伸長された伸長部９が形成されて、該伸長部９の先端側が開放端６と成している。開放端６とグランド面５との間に高域共振波長λ２の電気長に寄与する容量が形成されている。放射素子２の一端側から開放端６までの電気長は、放射素子２の高域共振波長λ２の１／２に形成されている。【００２７】
また、本実施例において、放射素子２と前記グランド面５との間には、誘電体基体１０が設けられている。この誘電体基体１０は、図３に示すように、その周縁部を除く領域がくりぬかれた状態に形成されている。誘電体基体１０は、放射素子２の下面（グランド面５に対向する面）に沿った領域と放射素子２の周縁部に沿った領域に形成されている。つまり、誘電体基体１０が形成されている領域は、給電部３および短絡部７，８の形成されている領域であり、放射素子２に電流が集中して流れる領域である。【００２８】
本実施例のアンテナ１は以上のように構成されている。このアンテナ１において、低域の共振経路は、図４ａの実線矢印Ａおよび図４ｂの実線矢印Ａに示すように、給電部３→放射素子２→短絡部７，８となる。本発明者がアンテナ１を試作し、入力位相を（例えば９０°と２７０°において）変えて電界分布を解析したところ、いずれも、給電部３側に強く電波の放射を確認できた。このことから、アンテナ１は、低域共振波長において、モノポールアンテナモードもしくはループアンテナモードで動作していることが確認できた。【００２９】
なお、低域共振波長の電波の放射は、図４ｂの破線矢印Ｂに示すように、放射素子２の開放端６に向かう方向にも見られた。しかし、これは、短絡部７，８からの反射波が放射素子２の開放端６側に向かう経路で発生していると考えられる。【００３０】
一方、高域の共振経路は、図４ａの破線矢印Ｂに示すように、放射素子２の一端側から開放端６側に向かう経路となる。本発明者がアンテナ１を試作し、入力位相を（例えば９０°と２７０°において）変えて電界分布を解析したところ、放射素子２からグランド面５に向かう電界の向きは、短絡部７，８の形成位置を境にして逆方向になることが確認できた。このことから、アンテナ１は、高域共振波長において、定在波の共振が共振波長の１／２（共振周波数のλ／２）であり、パッチアンテナモードで動作していることが確認できた。【００３１】
なお、試作したアンテナ１は、４５ｍｍ×１００ｍｍの回路基板４上に形成したものである。アンテナサイズは、２０ｍｍ×２０ｍｍで、その高さが６．５ｍｍで低背である。誘電体基体１０の誘電率は６．４５とした。アンテナ実装位置は、図２に示したとおりであり、低域の共振周波数は３４００ＭＨｚ、高域の共振周波数は４６００ＭＨｚに設定した。【００３２】
また、この試作したアンテナ１について、ＶＳＷＲ（Ｖｏｌｔａｇｅ  Ｓｔａｎｄｉｎｇ  Ｗａｖｅ  Ｒａｔｉｏ）を測定したところ、図５に示す結果が得られた。つまり、ＶＳＷＲ≦３となるＬｏｗ  Ｂａｎｄ  ＵＷＢ（Ｕｌｔｒａ  Ｗｉｄｅ  Ｂａｎｄ）の帯域の周波数が３．１ＧＨｚ〜４．８ＧＨｚとなり、広帯域で低いＶＳＷＲ特性を得られることが確認できた。【００３３】
さらに、図６ａに示すように、ｙｚ平面において、２つの共振点での電界面の指向性を調べたところ、図６の特性線ａ、特性線ｂに示すような結果が得られた。なお、特性線ａは低域共振側（３４００ＭＨｚ）、特性線ｂは高域共振側（４６００ＭＨｚ）をそれぞれ示している。また、角度θは、図６ｂに示すように、グランド面５から上方に向かうｚ軸方向を０°とし、このｚ軸よりも図の左側に形成される角度をプラス（＋）、右側に形成される角度をマイナス（−）として示したものである。アンテナ１の一端側（給電部３の形成側）から他端側に向かうｙ軸方向は９０°、アンテナ１の他端側から一端側に向かうｙ軸方向は−９０°となる。【００３４】
さらに、アンテナ１のｘ軸とｙ軸とｚ軸方向の３次元の指向性を解析により求めたところ、低域共振の指向性が図７ａ、高域共振の指向性が図７ｂに示すようになった。つまり、低域共振では水平面方向の全方向で電波の受信や送信を可能にできることが確認できた。【００３５】
以下に、第２実施例を説明する。なお、第２実施例の説明において、上記第１実施例と同一名称部分には同一符号を付し、その共通部分の重複説明は省略する。【００３６】
図８ａには、第２実施例のアンテナ１が回路基板４と共に模式的な斜視図により示されている。第２実施例は、上記第１実施例とほぼ同様に構成されている。第２実施例が上記第１実施例と異なることは、給電部３と短絡部７，８が、グランド面５側に向かうにつれて連続的に狭幅となるように（放射素子２側に向かうにつれて広幅となるように）形成されていることである。なお、第２実施例では、給電部３と短絡部７，８は、いずれも左右対称に形成されており、また、図８ａでは、誘電体基体１０を省略して示している。【００３７】
第２実施例は以上のように構成されており、第２実施例も上記第１実施例と同様の効果を奏することができる。また、第２実施例は、給電部３の幅を放射素子２側に向かうにつれて漸次広げていくことで、広帯域にマッチングをとることができる。そして、第２実施例は、短絡部７，８の幅を変えることにより、短絡部７，８の辺１２の長さを長くでき、周波数を下げることができる。【００３８】
なお、短絡部７，８の形状は、例えば、図８ｂ、図８ｃの各図に示す短絡部７のように、左右非対称に形成することもできる。このように、短絡部７，８の２つの辺１２の長さを変えることにより、電流経路を複雑にでき、広帯域化を図ることができる。【００３９】
以下に、第３実施例を説明する。なお、第３実施例の説明において、第１、第２実施例と同一名称部分には同一符号を付し、その共通部分の重複説明は省略する。【００４０】
図９に、第３実施例のアンテナ１が模式的な斜視図により示されている。第３実施例は、第１実施例とほぼ同様に構成されている。第３実施例が第１実施例と異なる特徴的なことは、給電部３と短絡部７，８に切り欠き部としてのスリット１３，１４，１５が形成されていることである。なお、図９では、誘電体基体１０を省略して示している。【００４１】
給電部３に形成されたスリット１３は、Ｘ方向に形成され、短絡部７，８に形成されたスリット１４，１５は、それぞれ、Ｙ方向に形成されている。また、スリット１３〜１５は、いずれも矩形状に形成されている。なお、スリット１３〜１５の形態や形成数は特に限定されるものでなく、適宜設定されるものである。ただし、短絡部７，８に形成するスリット１４，１５は、互いに同じ形態に形成することが好ましい。【００４２】
第３実施例は以上のように構成されており、第３実施例も上記第１実施例と同様の効果を奏することができる。また、第３実施例は、スリット１３〜１５の形成により、共振周波数を下げることができる。【００４３】
以下に、第４実施例を説明する。なお、第４実施例の説明において、第１〜第３実施例と同一名称部分には同一符号を付し、その共通部分の重複説明は省略する。【００４４】
図１０に、第４実施例のアンテナ１が、回路基板４と共に模式的な斜視図により示されている。第４実施例は、第１実施例とほぼ同様に構成されている。第４実施例が上記第１実施例と異なる特徴的なことは、長方形状の折り曲げ部１８が設けられていることである。折り曲げ部１８は、給電部３が形成されている放射素子２の一端側の周縁部１１に形成されている。また、折り曲げ部１８は、給電部３に対して両側となる位置に形成されて、グランド面５側に向けて伸長されている。折り曲げ部１８は、給電部３と間隔を介して配置され、給電部３に接続される給電回路のインピーダンスとアンテナのインピーダンスとを整合するマッチング素子を形成する。なお、図１０では、誘電体基体１０を省略して示している。【００４５】
第４実施例も上記第１実施例と同様の効果を奏することができる。さらに、第４実施例は、折り曲げ部１８がマッチング素子を形成することにより、外付けのマッチング用部材を設ける必要がないため、省スペース化が可能となる。【００４６】
なお、給電部３に対して両側となる位置の周縁部１１に折り曲げ部１８を形成する代わりに、図１０の破線で示すようにしてもよい。つまり、周縁部１１と対向するグランド面５に、該周縁部１１側に向けて折り曲げ部１９を形成してもよい。そして、この折り曲げ部１９により上記マッチング素子を形成してもよい。また、両方の折り曲げ部１８，１９を設けてマッチング素子を形成してもよい。なお、折り曲げ部１８，１９の形状、大きさ等は適宜設定される。【００４７】
また、図１１に示すように、給電部３の両側となる放射素子２に、マッチング用スリット２０を、放射素子２の一端側から他端側に向けて伸長形成してもよい。このマッチング用スリット２０は、前記給電部３に接続される給電回路のインピーダンスとアンテナのインピーダンスとを整合する。この構成においても、第４実施例と同様の効果を奏することができる。【００４８】
なお、本発明は上記各実施例に限定されるものではなく、様々な態様を採り得る。例えば、上記各実施例は、いずれも誘電体基体１０を有していたが、誘電体基体１０は省略してもよい。また、誘電体基体１０を設ける場合でも、上記各実施例のように、中央部がくりぬかれた形状にするとは限らず、その形状は特に限定されるものではなく、適宜設定されるものである。【００４９】
また、給電部３、短絡部７，８、伸長部９のそれぞれの形状は特に限定されるものでなく、適宜設定されるものである。例えば、短絡部７，８は、図８ｄに示すように、グランド面５側に向かうにつれて連続的に広幅となるように形成してもよい。また、給電部３、短絡部７，８、伸長部９は、それぞれ左右非対称としてもよい。さらに、給電部３、短絡部７，８、伸長部９は、例えば図８ｅに示す給電部３のように、段階的に幅が変化する形状としてもよい。また、給電部３、短絡部７，８、伸長部９のうち、全ての部位が変化してもよいし、１つのみが変化してもよい。さらに、伸長部９は省略することもできる。【００５０】
さらに、上記実施例では、短絡部７，８は互いに対向する位置に設けられていたが、短絡部７，８は、必ずしも対向する位置に設けるとは限らない。つまり、対の短絡部７，８は、給電部３から放射素子２の周縁方向に沿って互いに反対側であって、それぞれ前記給電部３から短絡部７，８に流れる高域共振の電圧が零となる部位の領域に設けられていればよい。【００５１】
なお、短絡部７，８を、放射素子２の周縁部において、ｙ方向の中央部よりも放射素子２の開放端６寄りに設ける構成は、より一層の広帯域化を図ることができる。また、短絡部７，８を、放射素子２の周縁部において、ｙ方向の中央部よりも給電部３寄りに設ける構成は、逆Ｆアンテナの動作が行えるようにすることもできる。【００５２】
さらに、上記各実施例では、放射素子２は、正方形状としたが、放射素子２は、長方形状としてもよい。また、放射素子２は、正方形や長方形の角部に丸みや切り欠きが形成された形状でもよい。さらには、放射素子２は、真円または楕円等の円形状としてもよく、その形状は適宜設定されるものである。ただし、放射素子２を矩形状とすると共振周波数調整がしやすく、好ましい。【００５３】
さらに、上記各実施例では、回路基板４の表面にグランド面５を形成したが、グランド面５は、回路基板４の内部に形成してもよいし、裏面に形成してもよい。【００５４】
さらに、上記説明は、上記各実施例のアンテナ１をデータ通信装置に適用する例について述べたが、本発明のアンテナは、様々な無線通信装置に適用されるものである。
【産業上の利用可能性】
【００５５】
この発明のアンテナは、グランド実装型で、低背、広帯域化が可能である。そのため、この発明のアンテナは、パソコン等に挿入装着される基板等のグランド面上に取り付けられるアンテナとして好適である。また、この発明のアンテナを備えた通信装置は、パソコン等に適用されて、情報通信等の無線通信を行うための通信装置として好適である。
【図１】
2008072411.tif 000003
【図２】
2008072411.tif 000004
【図３】
2008072411.tif 000005
【図４ａ】
2008072411.tif 000006
【図４ｂ】
2008072411.tif 000007
【図５】
2008072411.tif 000008
【図６ａ】
2008072411.tif 000009
【図６ｂ】
2008072411.tif 000010
【図７ａ】
2008072411.tif 000011
【図７ｂ】
2008072411.tif 000012
【図８ａ】
2008072411.tif 000013
【図８ｂ】
2008072411.tif 000014
【図８ｃ】
2008072411.tif 000015
【図８ｄ】
2008072411.tif 000016
【図８ｅ】
2008072411.tif 000017
【図９】
2008072411.tif 000018
【図１０】
2008072411.tif 000019
【図１１】
2008072411.tif 000020
【図１２】
2008072411.tif 000021
【図１３】
2008072411.tif 000022
【国際調査報告】
2008072411.tif 000023
2008072411.tif 000024
2008072411.tif 000025
2008072411.tif 000026
2008072411.tif 000027